(57)【要約】本発明に係るバネ取付体の取付具は、ボルトの脚部に、ボルトの外形よりわずかに小さいバネをネジ溝に嵌り込むように装着することによりナットの移動を阻止するバネ取付体の取付具であって、棒状コア材（１）の外周に、前記バネの基端部と係合する係合部（２）を設け、この棒状コア材（１）の外周に、前記バネの外径よりわずかに大きい口径を有するカラー材（３）を設ける。
2003087595.tif 000002
【特許請求の範囲】
【請求項１】
ボルトの脚部に、ボルトの外形よりわずかに小さいバネをネジ溝に嵌り込むように装着することによりナットの移動を阻止するバネ取付体の取付具であって、
棒状コア材の先端に、前記バネの基端部と係合する係合部を設け、該棒状コア材の外周に、前記バネの外径よりわずかに大きい口径を有するカラー材を前記棒状コア材と別体的又は一体的に設けた
ことを特徴とするバネ取付体の取付具。
【請求項２】
ボルトの脚部に、ボルトの外形よりわずかに小さい、基端部に上方へ突出したつまみ部を有するバネをネジ溝に嵌り込むように装着することによりナットの移動を阻止するバネ取付体の取付具であって、
棒状コア材の先端に、前記バネのつまみ部と係合する係合部を設け、該棒状コア材の外周に、前記バネの外径よりわずかに大きい口径を有するカラー材を前記棒状コア材と別体的又は一体的に設けた
ことを特徴とするバネ取付体の取付具。
【請求項３】
ボルトの脚部に、ボルトの外形よりわずかに小さい、基端部に横方向の一方へ突出したつまみ部を有するバネをネジ溝に嵌り込むように装着することによりナットの移動を阻止するバネ取付体の取付具であって、
棒状コア材の先端の、前記バネの外径よりわずかに大きい口径の位置に、前記バネのつまみ部と係合する係合部を設け、
更に該棒状コア材の先端の、前記バネの外径よりわずかに大きい口径の位置の前記係合部を除く部所に、前記バネの拡径制御用突起を設けた
ことを特徴とするバネ取付体の取付具。
【請求項４】
ボルトの脚部に、ボルトの外形よりわずかに小さい、基端部に横方向の両方へ突出したつまみ部を有するバネをネジ溝に嵌り込むように装着することによりナットの移動を阻止するバネ取付体の取付具であって、
棒状コア材の先端の、前記バネの外径よりわずかに大きい口径の位置に、前記バネのつまみ部と係合する係合部を設け、
更に該棒状コア材の先端の、前記バネの外径よりわずかに大きい口径の位置の前記係合部を除く部所に、前記バネの拡径制御突起を設けた
ことを特徴とするバネ取付体の取付具。
【請求項５】
棒状コア材の基端部外周に、スプリングを配設し、棒状コア材先端でバネを押圧した際に、バネを常時ボルト側へ付勢する如くなしたことを特徴とする請求項１に記載のバネ取付体の取付具。
【請求項６】
棒状コア材の基端部外周に、スプリングを配設し、棒状コア材先端でバネを押圧した際に、バネを常時ボルト側へ付勢する如くなしたことを特徴とする請求項２に記載のバネ取付体の取付具。
【請求項７】
棒状コア材の基端部外周に、スプリングを配設し、棒状コア材先端でバネを押圧した際に、バネを常時ボルト側へ付勢する如くなしたことを特徴とする請求項３に記載のバネ取付体の取付具。
【請求項８】
棒状コア材の基端部外周に、スプリングを配設し、棒状コア材先端でバネを押圧した際に、バネを常時ボルト側へ付勢する如くなしたことを特徴とする請求項４に記載のバネ取付体の取付具。
【請求項９】
棒状コア材を手動で回転させる如くなした
ことを特徴とする請求項１、請求項２、請求項３、請求項４、請求項５、請求項６、請求項７又は請求項８に記載のバネ取付体の取付具。
【請求項１０】
棒状コア材を電動で回転させる如くなした
ことを特徴とする請求項１、請求項２、請求項３、請求項４、請求項５、請求項６、請求項７又は請求項８に記載のバネ取付体の取付具。
【発明の詳細な説明】
技術分野
本発明は、ボルトの脚部に、ボルトの外形よりわずかに小さいバネをネジ溝に嵌り込むように装着することによりナットの移動を阻止するバネ取付体をボルトの脚部に取り付けるための取付具に関するものである。
背景技術
構造物の固定に広く用いられるボルト・ナットによる締付けに関し、ナットの緩み防止構造として、特開２００１−５９５１４号公報に示されるような構造のものがある。これは、図１に示すようにナット１０１を取り付けたボルトの脚部１０２に、ボルトの外径よりわずかに小さいバネ１０３をボルトのネジ溝に嵌り込むように装着するものであり、その場合に用いられるバネ１０３としては、図２に示すように単にコイル状に巻かれたバネ、図３に示すようにコイル状に巻かれたバネの基端部の上方へ突出したつまみ部を有するバネ、図４に示すようにコイル状に巻かれたバネの基端部に横方向の一方へ突出したつまみ部を有するバネ、あるいは図５に示すようにコイル状に巻かれたバネの基端部に横方向の両方へ突出したつまみ部を有するバネ等各種のバネがある。
上記特開２００１−５９５１４号公報に示されるナットの緩み止め構造は、バネをうまく装着できれば、ナットの緩みを防止できるが、バネをボルトに装着するのが大変であった。即ち、図２に示すように単にコイル状に巻かれただけのバネの場合、それを手作業でボルトの脚部に装着しようとしてもつるつる滑って正確には装着できないし、図３〜５に示すつまみ部を有するバネの場合もバネ自体が細かい場合にはつまみ部も小さくなるので、つまみ部を直接手で持ってバネを装着しようとしてもうまく装着できない場合が多かった。
発明の開示
本発明は、以上の点に鑑み創案されたものであって、バネをボルトの脚部に装着することが大変であるという問題を解消し、容易にバネを取付けることができるバネ取付体の取付具を提供することを目的とするものである。
上記の目的を達成するために、本発明に係るバネ取付体の取付具は、ボルトの脚部に、ボルトの外径よりわずかに小さいバネをネジ溝に嵌り込むように装着することによりナットの移動を阻止するバネ取付体の取付具であって、棒状コア材の先端に、前記バネの基端部と係合する係合部を設け、該棒状コア材の外周に、前記バネの外径よりわずかに大きい口径を有するカラー材を前記棒状コア材と別体的又は一体的に設けたことを特徴とする。
ここで、棒状コア材の先端に、バネの基端部と係合する係合部を設けているので、棒状コア材をボルト方向に押圧しながらバネがボルトの脚部に装着するような方向（装着方向）に手動又は電動で回転させると、バネも棒状コア材と共に回転し、バネがボルトの脚部に装着される。バネの先端部がナットと当接した後、更に棒状コア材を回転させると、バネはそれ以上進むことなくバネの径が拡大され、バネの外径よりわずかに大きい口径を有するカラー材の内壁面に当接して、棒状コア材を手動で回転している場合には手に、又棒状コア材を電動で回転している場合には電動回転軸にある一定量以上のトルクがかかる。このようにしてある一定量以上のトルクを感知した時に棒状コア材を手動で回転している場合には回転を止め、又棒状コア材を電動で回転している場合にはモーターが自動的に止まるようにしておくことでバネのボルトの脚部への装着が終了するのである。
また、上記の目的を達成するために、本発明に係るバネ取付体の取付具は、ボルトの脚部に、ボルトの外形よりわずかに小さい、基端部に上方へ突出したつまみ部を有するバネをネジ溝に嵌り込むように装着することによりナットの移動を阻止するバネ取付体の取付具であって、棒状コア材の先端に、前記バネのつまみ部と係合する係合部を設け、該棒状コア材の外周に、前記バネの外径よりわずかに大きい口径を有するカラー材を前記棒状コア材と別体的又は一体的に設けたことを特徴とする。
ここで、棒状コア材の先端に、バネのつまみ部と係合する係合部を設けているので、棒状コア材をボルト方向に押圧しながらバネがボルトの脚部に装着するような装着方向に手動又は電動で回転させると、つまみ部を有するバネも棒状コア材と共に回転し、バネがボルトの脚部に装着される。バネの先端部がナットと当接した後、更に棒状コア材を回転させると、バネはそれ以上進むことなくバネの径が拡大され、バネの外径よりわずかに大きい口径を有するカラー材の内壁面に当接して、棒状コア材を手動で回転している場合には手に、又棒状コア材を電動で回転している場合には電動回転軸にある一定量以上のトルクがかかる。このようにしてある一定量以上のトルクを感知した時に、棒状コア材を手動で回転している場合には回転を止め、又棒状コア材を電動で回転している場合にはモーターが自動的に止まるようにしておくことでバネのボルトの脚部への装着が終了するのである。
また、上記の目的を達成するために、本発明に係るバネ取付体の取付具は、ボルトの脚部に、ボルトの外形よりわずかに小さい、基端部に横方向の一方へ突出したつまみ部を有するバネをネジ溝に嵌り込むように装着することによりナットの移動を阻止するバネ取付体の取付具であって、棒状コア材の先端の、前記バネの外径よりわずかに大きい口径の位置に、前記バネのつまみ部と係合する係合部を設け、更に該棒状コア材の先端の、前記バネの外径よりわずかに大きい口径の位置の前記係合部を除く部所に、前記バネの拡径制御用突起を設けたことを特徴とする。
ここで、棒状コア材の先端の、バネの外径よりわずかに大きい口径の位置に、バネのつまみ部と係合する係合部を設けているので、棒状コア材をボルト方向に押圧しながらバネがボルトの脚部に装着するような装着方向に手動又は電動で回転させると、つまみ部を有するバネも棒状コア材と共に回転し、バネがボルトの脚部に装着される。バネの先端部がナットと当接した後、更に棒状コア材を回転させると、バネはそれ以上進むことなくバネの径が拡大され、棒状コア材の先端の前記バネの外径よりわずかに大きい口径の位置の前記係合部及び拡径制御用突起の両内壁面に当接して、棒状コア材を手動で回転している場合には手に、又棒状コア材を電動で回転している場合には電動回転軸にある一定量以上のトルクがかかる。このようにしてある一定量以上のトルクを感知した時に、棒状コア材を手動で回転している場合には回転を止め、又棒状コア材を電動で回転している場合にはモーターが自動的に止まるようにしておくことでバネのボルトの脚部への装着が終了するのである。
また、上記の目的を達成するために、本発明に係るバネ取付体の取付具は、ボルトの脚部に、ボルトの外形よりわずかに小さい、基端部に横方向の両方へ突出したつまみ部を有するバネをネジ溝に嵌り込むように装着することによりナットの移動を阻止するバネ取付体の取付具であって、棒状コア材の先端の、前記バネの外径よりわずかに大きい口径の位置に、前記バネのつまみ部と係合する係合部を設け、更に該棒状コア材の先端の、前記バネの外径よりわずかに大きい口径の位置の前記係合部を除く部所に、前記バネの拡径制御用突起を設けたことを特徴とする。
ここで、棒状コア材の先端の、バネの外径よりわずかに大きい口径の位置に、バネのつまみ部と係合する係合部を設けているので、棒状コア材をボルト方向に押圧しながらバネがボルトの脚部に装着するような装着方向に手動又は電動で回転させると、つまみ部を有するバネも棒状コア材と共に回転し、バネがボルトの脚部に装着される。バネの先端部がナットと当接した後、更に棒状コア材を回転させると、バネはそれ以上進むことなくバネの径が拡大され、棒状コア材の先端の、前記バネの外径よりわずかに大きい口径の位置の前記係合部を除く部所に設けられているバネの拡径制御用突起及び前記係合部の両内壁面に当接して、棒状コア材を手動で回転している場合には手に、又棒状コア材を電動で回転している場合には電動回転軸にある一定量以上のトルクがかかる。このようにしてある一定量以上のトルクを感知した時に、棒状コア材を手動で回転している場合には回転を止め、又棒状コア材を電動で回転している場合にはモーターが自動的に止まるようにしておくことでバネのボルトの脚部への装着が終了するのである。
なお、上記したボルトの外形よりわずかに小さいバネ（つまみ部を有しない場合も有する場合もある。）とは、バネを強いて拡径すればボルトのネジ溝に嵌り込みバネの各部分が、バネの持つ弾力性によりボルトの軸中心に向って押付けられる程度のバネのことを指称する。
また、上記したバネの外径よりわずかに大きい口径を有するカラー材、又はバネの外径よりわずかに大きい口径の位置に係合部を設け、あるいはバネの外径よりわずかに大きい口径の位置の係合部を除く部所にバネの拡径制御用突起を設けの際に用いたわずかとは、バネを棒状コア材と共に装着方向に回転して行き、バネの先端部がナットと当接した後は、バネはそれ以上進むことなく拡径され、そのバネが拡径された時にバネがカラー材又は係合部及びバネの拡径制御用突起のそれぞれの内壁面に当接し一定量以上のトルクが発生する程度のことを指称する。
発明を実施するための最良の形態
以下、本発明の実施の形態を図面を参酌しながら説明し、本発明の理解に供する。
図６に本発明を適用したバネ取付体の取付具の一例を示す一部切欠斜視図を示す。ここで、図６に示すバネ取付体の取付具は、図２に示すように単にコイル状に巻かれたバネの取付具であって、棒状コア材１の先端に、バネの基端部と係合するような段差部によって形成された係合部２が設けられている。またこの棒状コア材の外周には、取付けようとするバネの外径よりわずかに大きい口径を有するカラー材３が棒状コア材とは別体的に設けられている。
次に本発明を適用したバネ取付体の取付具の他の一例として、カラー材３が棒状コア材１と一体的に設けられている例の一部切欠斜視図を図７に示す。この図７に示すバネ取付体の取付具も、図２に示すように単にコイル状に巻かれたバネの取付体を示すものである。
図８に図６で示したバネ取付体の取付具の棒状コア材１の斜視図を示すが、この図８に示す棒状コア材１には、その先端にバネをボルトの脚部へ取付けるに際してのセンタリング用突起４が設けられている。このセンタリング用突起４がセンタリングのみではなく、棒状コア材１にバネを仮止めする作用も有するようにしておくものとし、図９に示すように、センタリング用突起４の基端部にバネの内径よりわずかに大きな外径（図中Ａで示す）部を、バネの約１巻分（図中Ｂで示す）形成して、バネ仮止め部５となし、その下方部はバネに入り易いようにバネの内径よりわずかに小さな外径（図中Ｃで示す）としておく。
なお、このセンタリング用突起４はその外周にバネを配設して、棒状コア材１をバネの装着方向へ回転させ、バネをボルトの脚部へ装着するに際して、邪魔にならないように、センタリング用突起４の先端がボルトの先端に当接して押圧力を受けると図９中上部へへこむようにスプリングを内蔵しているような構造としていてもよい。
図１０に本発明を適用したバネ取付体の取付具の他の一例の棒状コア材１の斜視図を示す。ここで、図１０に示す棒状コア材１は、図３に示すようにコイル状に巻かれたバネの基端部に上方へ突出したつまみ部を有するバネに用いるためのものであって、棒状コア材１の先端中央部に上方へ突出したつまみ部と係合するような溝部によって形成された係合部２が設けられている。この図１０に示す棒状コア材１もその外周には図１で示したのと同様の取付けようとするバネの外径よりわずかに大きい口径を有するカラー材が棒状コア材とは別体的に設けられバネ取付体の取付具を構成している。
なお、この図１０に示した棒状コア材１は、その係合部２の溝幅を調整することにより、バネの仮止め作用も果たすようにすることができるものである。
次に、図１１に本発明を適用したバネ取付体の取付具の他の一例として、カラー材３が棒状コア材１と一体的に設けられている他の一部切欠斜視図を示す。この図１１に示すバネ取付体の取付具も、図３に示すようにコイル状に巻かれたバネの基端部の上方へ突出したつまみ部を有するバネに用いるためのものである。
図１２に本発明を適用したバネ取付体の取付具の更に他の一例を示す斜視図を示す。ここで、図１２に示すバネ取付体の取付具は、図４に示すようにコイル状に巻かれたバネの基端部に横方向の一方へ突出したつまみ部を有するバネの取付具であって、棒状コア材１の先端の、前記バネの外径よりわずかに大きい口径の位置に、前記バネのつまみ部と係合する突起状の係合部２を設け、更に棒状コア材１の先端の、前記バネの外径よりわずかに大きい口径の位置の前記係合部を除く部所に、前記バネの拡径制御用突起６が設けられている。この係合部２は、バネの基端部に横方向の一方へ突出したつまみ部を、その外周部で係合することによりバネの仮止め作用も奏するものである。
また、この図１２に示したバネ取付体の取付具にあっても、図示するように棒状コア材１の先端中央部に、バネをボルトの脚部へ取付けるに際してのセンタリング用突起４が設けられている。このセンタリング用突起４も先に図９を用いて説明したように、センタリング用突起４の外周にバネが配設され、そのバネが棒状コア材１をバネの装着方向へ回転され、バネをボルトの脚部へ装着するに際して、邪魔にならないように、センタリング用突起４の先端がボルトの先端に当接して押圧力を受けると、上部へへこむようにスプリングを内蔵しているような構造としていてもよい。
次に、図１２に示したバネ取付体の取り付け具で、センタリング用突起の無い構造のものの斜視図を図１３に示す。
図１４に本発明を適用したバネ取付体の取付具の更に他の一例を示す斜視図を示す。ここで、図１４に示すバネ取付体の取付具は、図５に示すようにコイル状に巻かれたバネの基端部に横方向の両方へ突出したつまみ部を有するバネの取付具であって、棒状コア材１の先端の、前記バネの外径よりわずかに大きい口径の位置に、前記バネのつまみ部と係合する係合部２を２ヵ所に設け、更に棒状コア材１の先端の、前記バネの外径よりわずかに大きい口径の位置の前記係合部を除く部所に、前記バネの拡径制御用突起６が設けられている。この２ヵ所に設けられた係合部２は、バネの基端部に横方向の両方へ突出したつまみ部を、その外周部で係合することによりバネの仮止め作用も奏するものである。
この図１４に示した棒状コア材１によって、仮止めされた状態のバネを図１５に図示するが、バネの基端部の両方へ突出したつまみ部は、２ヵ所に設けられた係合部２によって仮止めされ、棒状コア材１の先端の中央部に設けられたセンタリング用突起４の外周にバネが配接されている。この場合のセンタリング用突起４も先に述べた如く、棒状コア材１がバネの装着方向へ回転され、バネをボルトの脚部へ装着するに際して、邪魔にならないように、センタリング用突起４の先端がボルトの先端に当接して押圧力を受けると、上部へへこむようにスプリングを内蔵しているような構造としていてもよい。
図１６に棒状コア材の基端部外周に、スプリングを配設した形態のバネ取付体の取付具の一例の一部切欠斜視図を示す。この図１６に示す形態のものでは、棒状コア材１の基端部の外周にスプリング７が配設されており、棒状コア材１先端でバネを押圧した際に、バネを常時ボルト側へ付勢する如く構成されている。従ってカラー材３を用いる構成のものにあっては棒状コア材１の基端部にスプリング７が配設されている。
この様に棒状コア材１の基端部外周に、スプリングを配設した形態のバネ取付体の取付具にあっては、バネを押圧する押圧力を加減することなく、一ぱいにバネを押圧することで、バネへの押圧力はスプリング７の付勢力によって定められることとなるのでスプリング７の反発力を調整することにより、バネへの適切な押圧力を付与することができるものである。
本発明によるバネ取付体の取付具は、バネをボルトの脚部へ装着するに際して、棒状コア材１の先端にバネを当てがい、バネの装着方向へ棒状コア材１を回転させて行うものであるが、その棒状コア材１の回転は手動あるいは電動で行うようにする。そして手動の場合にはバネが拡径して周囲のカラー材３等に当接しある一定量以上のトルクがかかった時点を感知して棒状コア材１の回転を止め、又電動の場合には電動回転軸にある一定量以上のトルクがかかった時点を感知してモーターが止まるようにセットしておくものとする。
また、図１５に示す棒状コア材１によって、仮止めされた状態のバネは、図１７に示すように、棒状コア材１の先端に空洞部を設けて該空洞部にボルトが挿入する如き状態のバネとする事もできる。
産業上の利用可能性
以上述べてきた如く、本発明のバネ取付体の取り付け具によれば、つまみ部を有しないバネでもつまみ部を有するバネでも、棒状コア材の先端にバネの基端部あるいはバネのつまみ部との係合部を設けたことにより、バネは棒状コア材を回転させれば、棒状コア材と共に回転し、バネの先端部がナットと当接した後は、棒状コア材の更なる回転に伴なってバネはそれ以上進むことなくバネの径が拡大される。そのバネの径の拡大はバネの外径よりわずかに大きい口径の位置にあるカラー材内壁面あるいはバネとの係合部内壁面及び棒状コア材の先端の、バネの外径よりわずかに大きい口径の位置の前記係合部を除く部所にあるバネの拡径制御用突起の内壁面とバネとの当接をまねき、棒状コア材にある一定量以上のトルクの発生を来たし、それを感知して棒状コア材の手動又は電動による回転を止め、バネのボルト脚部への装着を行うことができるものである。
棒状コア材の基端部外周に、スプリングを配設することで、棒状コア材のボルト方向への押圧力を手加減で行なうことなく、スプリングの強さを調整することで棒状コア材先端をある一定量以上の押圧力で押すだけで、バネには常時一定量の押圧力が働くようにすることができる。
【図面の簡単な説明】
図１は、従来のナットを取付けたボルトの脚部にバネを装着した状態の説明図である。
図２は、本発明で装着されるバネでコイル状に巻かれたバネの斜視図である。
図３は、本発明で装着されるバネでコイル状に巻かれたバネの基端部に上方へ突出したつまみ部を有するバネの斜視図である。
図４は、本発明で装着されるバネでコイル状に巻かれたバネの基端部に横方向の一方へ突出したつまみ部を有するバネの斜視図である。
図５は、本発明で装着されるバネでコイル状に巻かれたバネの基端部に横方向の両方へ突出したつまみ部を有するバネの斜視図である。
図６は、本発明のバネ取付体の取付具の他の一例を示す一部切欠け斜視図である。
図７は、本発明のバネ取付体の取付具の棒状コア材の斜視図である。
図８は、図６に示したバネ取付体の取付具の棒状コア材の斜視図である。
図９は、図８に示した棒状コア材のセンタリング用突起の説明図である。
図１０は、本発明のバネ取付体の取付具の棒状コア材の他の例の斜視図である。
図１１は、本発明のバネ取付体の取付具の更に他の一例を示す一部切欠斜視図である。
図１２は、本発明のバネ取付体の取付具の更に他の一例を示す斜視図である。
図１３は、図１２に示したバネ取付体の取付具で、センタリング用突起の無い構造のものの斜視図である。
図１４は、本発明のバネ取付体の取付具の更に他の一例を示す斜視図である。
図１５は、図１４に示したバネ取付体の取付具の棒状コア材によって、仮止めされた状態のバネの説明図である。
図１６は、棒状コア材の基端部外周に、ズプリングを配設した形態のバネ取付体の取付具の一例を示す一部切欠斜視図である。
図１７は、図１５に示すバネ取付体の取付具で棒状コア材の先端に空洞部を設けた構造のものの説明図である。
【図１】
2003087595.tif 000003
【図２】
2003087595.tif 000004
【図３】
2003087595.tif 000005
【図４】
2003087595.tif 000006
【図５】
2003087595.tif 000007
【図６】
2003087595.tif 000008
【図７】
2003087595.tif 000009
【図８】
2003087595.tif 000010
【図９】
2003087595.tif 000011
【図１０】
2003087595.tif 000012
【図１１】
2003087595.tif 000013
【図１２】
2003087595.tif 000014
【図１３】
2003087595.tif 000015
【図１４】
2003087595.tif 000016
【図１５】
2003087595.tif 000017
【図１６】
2003087595.tif 000018
【図１７】
2003087595.tif 000019
【国際調査報告】
2003087595.tif 000020
2003087595.tif 000021
2003087595.tif 000022
2003087595.tif 000023